【手続補正書】
【提出日】平成28年1月22日(2016.1.22)
【手続補正１】
【補正対象書類名】特許請求の範囲
【補正対象項目名】全文
【補正方法】変更
【補正の内容】
【特許請求の範囲】
【請求項１】
下記を具備する、複数のモバイルデバイスにおけるミラー・インタフェース・ナビゲーションに関する方法：
前記複数のモバイルデバイスの第１のモバイルデバイスによって、前記第１のモバイルデバイスおよび前記複数のモバイルデバイスの１つまたは複数の他のモバイルデバイス間の通信リンクを確立することと、
前記第１のモバイルデバイスによって、前記第１のモバイルデバイスを用いたユーザ・インタアクションを検出すること、ここで、前記ユーザ・インタアクションは少なくとも１つのインタフェース・ナビゲーション・ステップを表示し、および、
前記１つまたは複数の他のモバイルデバイスのそれぞれへ前記第１のモバイルデバイスから前記検出されたユーザ・インタアクションを送信し、前記送信されたユーザ・インタアクションは前記第１のモバイルデバイスにおいて前記少なくとも１つのインタフェース・ナビゲーション・ステップに対応するパラレル・インタフェース・ナビゲーションを引き起こす。
【請求項２】
前記１つまたは複数の他のモバイルデバイスのそれぞれへ前記第１のモバイルデバイスからインタフェース・ロッキング信号を送信することであって、前記インタフェース・ロッキング信号はインタフェース・ナビゲーションの振る舞いを手動で受信することから前記１つまたは複数の他のモバイルデバイスのそれぞれをロックアウトすること、をさらに具備する、請求項１記載の方法。
【請求項３】
前記送信され検出されたユーザ・インタアクションを前記１つまたは複数の他のモバイルデバイスのそれぞれと互換性のあるインタフェース・ナビゲーション・インタアクションにトランスレートすること、をさらに具備する、請求項１記載の方法。
【請求項４】
下記を具備する、複数のモバイルデバイス上のミラー・インタフェース・ナビゲーションに関する方法：
前記複数のモバイルデバイスの第１のデバイスと通信リンクを確立することと、
前記第１のデバイスから少なくとも１つのインタフェース・ナビゲーション指示を受信することと、
前記少なくとも１つのインタフェース・ナビゲーション指示を実行することと、および
前記少なくとも１つのインタフェース・ナビゲーション指示を実行することに応答してディスプレイにおいてビジュアル・インタフェース・ナビゲーション・エレメントを表示すること。
【請求項５】
少なくとも１つのローカル・インタフェース・ナビゲーション・コマンドの中に前記少なくとも１つのインタフェース・ナビゲーション指示をトランスレートすること、ここにおいて、前記実行することは前記少なくとも１つのローカル・インタフェース・ナビゲーション・コマンドを実行することを含む、をさらに具備する、請求項４記載の方法。
【請求項６】
前記第１のデバイスから前記通信リンクの要求を受信することと、および、
前記要求を受信することに応答してミラー・インタフェース・ナビゲーション・アプリケーションを実行すること、ここにおいて、前記ミラー・インタフェース・ナビゲーション・アプリケーションを実行することは、前記通信リンクを前記確立すること、前記少なくとも１つのインタフェース・ナビゲーション指示を前記受信すること、および前記少なくとも１つのインタフェース・ナビゲーション指示を前記実行すること、を制御する、をさらに具備する、請求項４記載の方法。
【請求項７】
下記を具備する電子装置：
複数のモバイルデバイスの第１のモバイルデバイスにより実行可能であって、前記第１のモバイルデバイスおよび前記複数のモバイルデバイスの１つまたは複数の他のモバイルデバイス間の通信リンクを確立するための手段と、
前記第１のモバイルデバイスにより実行可能であって、前記第１のモバイルデバイスを用いてユーザ・インタアクションを検出するための手段と、ここで、前記ユーザ・インタアクションは少なくとも１つのインタフェース・ナビゲーション・ステップを表示する、および、
前記第１のモバイルデバイスにより実行可能であって、前記１つまたは複数の他のモバイルデバイスのそれぞれへ前記検出されたユーザ・インタアクションを送信するための手段と、ここで、前記送信された前記ユーザ・インタアクションは前記第１のモバイルデバイスにおける前記少なくとも１つのインタフェース・ナビゲーション・ステップに対応するパラレル・インタフェース・ナビゲーションを生じさせる。
【請求項８】
前記１つまたは複数の他のモバイルデバイスのそれぞれへ前記第１のモバイルデバイスからインタフェース・ロッキング信号を送信するための手段、前記インタフェース・ロッキング信号はインタフェース・ナビゲーションの振る舞いを手動で受信することから前記１つまたは複数の他のモバイルデバイスのそれぞれをロックアウトする、をさらに具備する、請求項７記載の電子装置。
【請求項９】
前記１つまたは複数の他のモバイルデバイスのそれぞれと互換性のあるインタフェース・ナビゲーション・インタアクションに前記送信され検出されたユーザ・インタアクションをトランスレートするための手段、をさらに具備する請求項７記載の電子装置。
【請求項１０】
下記を具備する、複数のモバイルデバイス上のミラー・インタフェース・ナビゲーションに関する電子装置：
前記複数のモバイルデバイスの第１のデバイスと通信リンクを確立するための手段と、
前記第１のデバイスから少なくとも１つのインタフェース・ナビゲーション指示を受信するための手段と、
前記少なくとも１つのインタフェース・ナビゲーション指示を実行するための手段と、および
前記少なくとも１つのインタフェース・ナビゲーション指示を実行するための前記手段に応答してディスプレイ内にビジュアル・インタフェース・ナビゲーション・エレメントを表示するための手段。
【請求項１１】
少なくとも１つのローカル・インタフェース・ナビゲーション・コマンドに前記少なくとも１つのインタフェース・ナビゲーション指示をトランスレートするための手段、ここにおいて、実行するための前記手段は前記少なくとも１つのローカル・インタフェース・ナビゲーション・コマンドを実行するための手段を含む、をさらに具備する、請求項１０記載の電子装置。
【請求項１２】
前記第１のデバイスから前記通信リンクの要求を受信するための手段と、および、
前記要求を受信することに応答してミラー・インタフェース・ナビゲーション・アプリケーションを実行するための手段、ここにおいて、ミラー・インタフェース・ナビゲーション・アプリケーションを前記実行することは、前記通信リンクを前記確立するための前記手段、前記少なくとも１つのインタフェース・ナビゲーション指示を受信するための手段、および前記少なくとも１つのインタフェース・ナビゲーション指示を実行するための手段を制御する、とをさらに具備する、請求項１０記載の電子装置。
【請求項１３】
そこに記録された請求項１乃至６のいずれか一項に従う方法を実行するためのプログラムコードを有する非一時的コンピュータ可読媒体を具備する、コンピュータプログラム製品。
【手続補正２】
【補正対象書類名】明細書
【補正対象項目名】００５６
【補正方法】変更
【補正の内容】
【００５６】
[0060]本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
以下に、本願出願の当初の特許請求の範囲に記載された発明を付記する。
［Ｃ１］  下記を具備する、複数のモバイルデバイスにおけるミラー・インタフェース・ナビゲーションに関する方法：
前記複数のモバイルデバイスの第１のモバイルデバイスによって、前記第１のモバイルデバイスおよび前記複数のモバイルデバイスの１つまたは複数の他のモバイルデバイス間の通信リンクを確立することと、
前記第１のモバイルデバイスによって、前記第１のモバイルデバイスを用いたユーザ・インタアクションを検出すること、ここで、前記ユーザ・インタアクションは少なくとも１つのインタフェース・ナビゲーション・ステップを表示し、および、
前記１つまたは複数の他のモバイルデバイスのそれぞれへ前記第１のモバイルデバイスから前記検出されたユーザ・インタアクションを伝送し、前記伝送されたユーザ・インタアクションは前記第１のモバイルデバイスにおいて前記少なくとも１つのインタフェース・ナビゲーション・ステップに対応するパラレル・インタフェース・ナビゲーションを引き起こす。
［Ｃ２］  前記１つまたは複数の他のモバイルデバイスのそれぞれへ前記第１のモバイルデバイスから前記インタフェース・ロッキング信号を伝送することであって、前記インタフェース・ロッキング信号はインタフェース・ナビゲーションの振る舞いを手動で受信することから前記１つまたは複数の他のモバイルデバイスのそれぞれをロックアウトすること、をさらに具備する、Ｃ１記載の方法。
［Ｃ３］  前記送信され検出されたユーザ・インタアクションを前記１つまたは複数の他のモバイルデバイスのそれぞれと互換性のあるインタフェース・ナビゲーション・インタアクションにトランスレートすること、をさらに具備する、Ｃ１記載の方法。
［Ｃ４］下記を具備する、複数のモバイルデバイス上のミラー・インタフェース・ナビゲーションに関する方法：
前記複数のモバイルデバイスの第１のデバイスと通信リンクを確立することと、
前記第１のデバイスから少なくとも１つのインタフェース・ナビゲーション指示を受信することと、
前記少なくとも１つのインタフェース・ナビゲーション指示を実行することと、および
前記少なくとも１つのインタフェース・ナビゲーション指示を実行することに応答してディスプレイにおいてビジュアル・インタフェース・ナビゲーション・エレメントを表示すること。
［Ｃ５］  少なくとも１つのローカル・インタフェース・ナビゲーション・コマンドの中に前記少なくとも１つのインタフェース・ナビゲーション指示をトランスレートすること、ここにおいて、前記実行することは前記少なくとも１つのローカル・インタフェース・ナビゲーション・コマンドを実行することを含む、をさらに具備する、Ｃ４記載の方法。
［Ｃ６］  前記第１のデバイスから前記通信リンクの要求を受信することと、および、前記要求を受信することに応答してミラー・インタフェース・ナビゲーション・アプリケーションを実行すること、ここにおいて、前記ミラー・インタフェース・ナビゲーション・アプリケーションを実行することは、前記通信リンクを前記確立すること、前記少なくとも１つのインタフェース・ナビゲーション指示を前記受信すること、および前記少なくとも１つのインタフェース・ナビゲーション指示を前記実行すること、を制御する、をさらに具備する、Ｃ４記載の方法：
［Ｃ７］  下記を具備する電子装置：
複数のモバイルデバイスの第１のモバイルデバイスにより実行可能であって、前記第１のモバイルデバイスおよび前記複数のモバイルデバイスの１つまたは複数の他のモバイルデバイス間の通信リンクを確立するための手段と、
前記第１のモバイルデバイスにより実行可能であって、前記第１のモバイルデバイスを用いて前記ユーザ・インタアクションを検出するための手段と、ここで、前記ユーザ・インタアクションは少なくとも１つのインタフェース・ナビゲーション・ステップを表示する、および、
前記第１のモバイルデバイスにより実行可能であって、前記１つまたは複数の他のモバイルデバイスのそれぞれへ前記検出されたユーザ・インタアクションを送信するための手段と、ここで、前記送信された前記ユーザ・インタアクションは前記第１のモバイルデバイスにおける前記少なくとも１つのインタフェース・ナビゲーション・ステップに対応するパラレル・インタフェース・ナビゲーションを生じさせる。
［Ｃ８］  前記１つまたは複数の他のモバイルデバイスのそれぞれへ前記第１のモバイルデバイスから前記インタフェース・ロッキング信号を送信するための手段、前記インタフェース・ロッキング信号はインタフェース・ナビゲーションの振る舞いを手動で受信してから前記１つまたは複数の他のモバイルデバイスのそれぞれをロックアウトする、をさらに具備する、Ｃ７記載の電子装置。
［Ｃ９］  前記１つまたは複数の他のモバイルデバイスのそれぞれと互換性のあるインタフェース・ナビゲーション・インタアクションに前記送信され検出されたユーザ・インタアクションをトランスレートするための手段、をさらに具備するＣ７記載の電子装置。
［Ｃ１０］  下記を具備する、複数のモバイルデバイス上のミラー・インタフェース・ナビゲーションに関する電子装置：
前記複数のモバイルデバイスの第１のデバイスと通信リンクを確立するための手段と、
前記第１のデバイスから少なくとも１つのインタフェース・ナビゲーション指示を受信するための手段と、
前記少なくとも１つのインタフェース・ナビゲーション指示を実行するための手段と、および
前記少なくとも１つのインタフェース・ナビゲーション指示を実行するための前記手段に応答してディスプレイ内にビジュアル・インタフェース・ナビゲーション・エレメントを表示するための手段。
［Ｃ１１］  少なくとも１つのローカル・インタフェース・ナビゲーション・コマンドに前記少なくとも１つのインタフェース・ナビゲーション指示をトランスレートするための手段、ここにおいて、実行するための前記手段は前記少なくとも１つのローカル・インタフェース・ナビゲーション・コマンドを実行するための手段を含む、をさらに具備する、Ｃ１０記載の電子装置。
［Ｃ１２］  前記第１のデバイスから前記通信リンクの要求を受信するための手段と、および、
前記要求を受信することに応答してミラー・インタフェース・ナビゲーション・アプリケーションを実行するための手段、ここにおいて、ミラー・インタフェース・ナビゲーション・アプリケーションを前記実行することは、通信リンクを前記確立するための前記手段、前記少なくとも１つのインタフェース・ナビゲーション指示を受信するための手段、および前記少なくとも１つのインタフェース・ナビゲーション指示を実行するための手段を制御する、とをさらに具備する、Ｃ１０記載の電子装置。
［Ｃ１３］下記を具備する、コンピュータプログラム製品：
複数のモバイルデバイス上のミラー・インタフェース・ナビゲーションに関しそこに記録されたプログラムコードを有する非一時的コンピュータ可読媒体であって、
前記プログラムコードは、下記を含む、
前記複数のモバイルデバイスの第１のモバイルデバイスによって実行可能であって、前記第１のモバイルデバイスおよび前記複数のモバイルデバイスの１つまたは複数の他のモバイルデバイス間の通信リンクを確立するためのプログラムコードと、
前記第１のモバイルデバイスにより実行可能であって、前記第１のモバイルデバイスを用いたユーザ・インタアクションを検出するためのプログラムコード、前記ユーザ・インタアクションは少なくとも１つのインタフェース・ナビゲーション・ステップを表示する、および、
前記第１のモバイルデバイスにより実行可能であって、前記１つまたは複数の他のモバイルデバイスのそれぞれへ前記検出されたユーザ・インタアクションを送信するためのプログラムコード、前記送信されたユーザ・インタアクションは前記第１のモバイルデバイスにおいて前記少なくとも１つのインタフェース・ナビゲーション・ステップに対応するパラレル・インタフェース・ナビゲーションを生じさせる。
［Ｃ１４］  前記１つまたは複数の他のモバイルデバイスのそれぞれへ前記第１のモバイルデバイスからインタフェース・ロッキング信号を送信するためのプログラムコード、前記インタフェース・ロッキング信号はインタフェース・ナビゲーションの振る舞いを手動で受信してから前記１つまたは複数の他のモバイルデバイスのそれぞれをロックアウトする、をさらに具備する、Ｃ１３記載のコンピュータプログラム製品。
［Ｃ１５］  前記１つまたは複数の他のモバイルデバイスのそれぞれと互換性のあるインタフェース・ナビゲーション・インタアクションに前記送信され検出されたユーザ・インタアクションをトランスレートするためのプログラムコード、をさらに具備する、Ｃ１３記載のコンピュータプログラムコード。
［Ｃ１６］下記を具備する、コンピュータプログラム製品：
複数のモバイルデバイス上のミラー・インタフェース・ナビゲーションに関しそこに記録されたプログラムコードを有する非一時的コンピュータ可読媒体、
前記プログラムコードは、下記を含む、
前記複数のモバイルデバイスの第１のデバイスと通信リンクを確立するためのプログラムコードと、
前記第１のデバイスから少なくとも１つのインタフェース・ナビゲーション指示を受信するためのプログラムコードと、
前記少なくとも１つのインタフェース・ナビゲーション指示を実行するためのプログラムコードと、および、
前記少なくとも１つのインタフェース・ナビゲーション指示の実行に応答してディスプレイにおいてビジュアル・インタフェース・ナビゲーション・エレメントを表示するためのプログラムコード。
［Ｃ１７］  少なくとも１つのローカル・インタフェース・ナビゲーション・コマンドに前記少なくとも１つのインタフェース・ナビゲーション指示をトランスレートするためのプログラムコード、ここにおいて、実行するための前記プログラムコードは前記少なくとも１つのローカル・インタフェース・ナビゲーション・コマンドを実行するためのプログラムコードを含む、をさらに具備する、Ｃ１６記載のコンピュータプログラム製品。
［Ｃ１８］  前記第１のデバイスから前記通信リンクのための要求を受信するためのプログラムコードと、および、
前記要求を受信することに応答してミラー・インタフェース・ナビゲーション・アプリケーションを実行するためのプログラムコード、ここにおいて、ミラー・インタフェース・ナビゲーション・アプリケーションを実行するための前記プログラムコードは、前記通信リンクを確立するためのプログラムコード、前記少なくとも１つのインタフェース・ナビゲーション指示を受信するためのプログラムコード、および前記少なくとも１つのインタフェース・ナビゲーション指示を実行するためのプログラムコードの実行を制御する、をさらに具備する、Ｃ１６記載のコンピュータプログラム製品。
［Ｃ１９］下記を具備する、電子装置：
少なくとも１つのプロセッサと、
前記少なくとも１つのプロセッサに結合されたメモリと、および、
前記少なくとも１つのプロセッサに結合された表示装置と、
ここで、前記少なくとも１つのプロセッサは、
複数のモバイルデバイスの第１のモバイルデバイスにより、
前記第１のモバイルデバイスおよび前記複数のモバイルデバイスの１つまたは複数の他のモバイルデバイス間の通信リンクを確立するように、
前記第１のモバイルデバイスにより、前記第１のモバイルデバイスとのユーザ・インタアクションを検出するように、前記ユーザ・インタアクションは少なくとも１つのインタフェース・ナビゲーション・ステップを表示する、および、
前記１つまたは複数の他のモバイルデバイスのそれぞれへ前記第１のモバイルデバイスから前記検出されたユーザ・インタアクションを送信するように、前記送信されたユーザ・インタアクションは前記第１のモバイルデバイスにおいて前記少なくとも１つのインタフェース・ナビゲーション・ステップに対応するパラレル・インタフェース・ナビゲーションを生じさせる。
［Ｃ２０］Ｃ１９記載の電子装置、ここにおいて、前記少なくとも１つのプロセッサは、
前記１つまたは複数の他のモバイルデバイスのそれぞれへ前記第１のモバイルデバイスからインタフェース・ロッキング信号を送信するように構成され、前記インタフェース・ロッキング信号はインタフェース・ナビゲーションの振る舞いを手動で受信してから前記１つまたは複数の他のモバイルデバイスのそれぞれをロックアウトする、ようにさらに構成される。
［Ｃ２１］  前記メモリ内に格納されたインタフェース・ナビゲーション・ルックアップ・テーブル、ここにおいて、前記インタフェース・ナビゲーション・ルックアップ・テーブルは、前記モバイルデバイスの１つまたは複数と互換性があるインタフェース・ナビゲーション・コマンドのリストに関連したインタフェース・ナビゲーション指示のリストを含み、ここにおいて、インタフェース・ナビゲーション指示のリストの中のそれぞれのインタフェース・ナビゲーション指示はローカル・インタフェース・ナビゲーション・コマンドの前記リストの少なくとも１つのインタフェース・ナビゲーション・コマンドに対応する、および、ここにおいて、前記少なくとも１つのプロセッサはさらに、前記１つまたは複数の他のモバイルデバイスのそれぞれと互換性がある１つまたは複数のインタフェース・ナビゲーション・コマンドに前記送信され検出されたユーザ・インタアクションをトランスレートするように構成される、ことをさらに具備するＣ１９記載の電子装置。
［Ｃ２２］下記を具備する電子装置：
少なくとも１つのプロセッサと、
前記少なくとも１つのプロセッサに結合されたメモリと、および、
前記少なくとも１つのプロセッサに結合された表示装置、
ここで、前記少なくとも１つのプロセッサは、
複数のモバイルデバイスの第１のデバイスと通信リンクを確立するように、
前記第１のデバイスから少なくとも１つのインタフェース・ナビゲーション指示を受信するように、
前記少なくとも１つのインタフェース・ナビゲーション指示を実行するように、
および、前記少なくとも１つのインタフェース・ナビゲーション指示の実行に応答して前記表示装置内にビジュアル・インタフェース・ナビゲーション・エレメントを表示するように構成される。
［Ｃ２３］  前記メモリに格納されたインタフェース・ナビゲーション・ルックアップ・テーブル、ここにおいて、前記インタフェース・ナビゲーション・ルックアップ・テーブルは、インタフェース・ナビゲーション指示の前記リストの中のそれぞれのインタフェース・ナビゲーション指示がローカル・インタフェース・ナビゲーション・コマンドの前記リストの少なくとも１つのローカル・インタフェース・ナビゲーション・コマンドに対応するローカル・インタフェース・ナビゲーション・コマンドのリストに関連するインタフェース・ネビゲーション指示のリストを含み、および、ここにおいて、前記少なくとも１つのプロセッサはさらに、前記インタフェース・ナビゲーション・ルックアップ・テーブルを用いた少なくとも１つのローカル・インタフェース・ナビゲーション・コマンドに前記少なくとも１つのインタフェース・ナビゲーション指示をトランスレートするように構成され、
ここにおいて、前記少なくとも１つのインタフェース・ナビゲーション指示の前記実行は前記少なくとも１つのローカル・インタフェース・ナビゲーション・コマンドの実行を含む、をさらに具備する、Ｃ２２記載の電子装置。
［Ｃ２４］  Ｃ２２記載の電子装置、ここにおいて、前記少なくとも１つのプロセッサは、
前記第１のデバイスから前記通信リンクのための要求を受信するように、および、
前記要求を受信することに応答してミラー・インタフェース・ナビゲーション・アプリケーションを実行するように構成される、ここにおいて、ミラー・インタフェース・ナビゲーション・アプリケーションを実行することは、前記通信リンクの前記確立、前記少なくとも１つのインタフェース・ナビゲーション指示の前記受信、および前記少なくとも１つのインタフェース・ナビゲーション指示の前記実行を制御する、ようにさらに構成される。